(57)【要約】【課題】着用者の外鼻に貼ると、花粉症の諸症状を緩和・除去することができる顔面加温具を得る。【解決手段】不織布からなる表裏のカバー６ａ・６ｂを含む加温具本体３と、表裏のカバー６ａ・６ｂ間に挟み込み保持される発熱体２と、裏カバー６ｂの外側面に設けられた粘着剤層４と、粘着剤層４を保護する剥離紙５とを含む。発熱体２は、シート基材９に発熱剤１０を担持させることによってシート状に形成する。発熱体２は、３8.０℃±２℃の温度領域で少なくとも１時間以上にわたり発熱するようにしてある。【選択図】図１
2005058512.tif 000002
【特許請求の範囲】
【請求項１】
表裏のカバー６ａ・６ｂを含む加温具本体３と、表裏のカバー６ａ・６ｂ間に挟み込み保持される発熱体２と、裏カバー６ｂの外側面に設けられた粘着剤層４と、粘着剤層４を保護する剥離紙５とを含み、
発熱体２が、シート基材９に発熱剤１０を担持させることによってシート状に形成されており、
発熱体２が、３8.０℃±２℃の温度領域で少なくとも１時間以上にわたり発熱するようにしてあることを特徴とする顔面加温具。
【請求項２】
表裏のカバー６ａ・６ｂを含む加温具本体３と、表裏のカバー６ａ・６ｂ間に挟み込み保持される発熱体２と、裏カバー６ｂの外側面に設けられた粘着剤層４と、粘着剤層４を保護する剥離紙５とを含み、
発熱体２が、発熱剤１０につなぎ用骨材１１を配合してシート状に圧縮成形されており、
発熱体２が、３8.０℃±２℃の温度領域で少なくとも１時間以上発熱するようにしてあることを特徴とする顔面加温具。
【請求項３】
発熱体２が、発熱剤１０の発熱開始から２４０秒以内に、３8.０℃±２℃の温度領域に到達するようにしてある請求項１又は２記載の顔面加温具。
【請求項４】
加温具本体３の表裏カバー６ａ・６ｂが、熱溶着性繊維を含む不織布からなり、
表裏カバー６ａ・６ｂの外周縁部Ｐ１が、熱溶着されているとともに、
加温具本体３に、曲げ性を付与するための易曲部Ｐ２が、表裏カバー６ａ・６ｂを熱溶着することによって形成されている請求項１又は２又は３記載の顔面加温具。
【請求項５】
加温具本体３に、曲げ性を付与するための易曲部Ｐ２が、表裏カバー６ａ・６ｂの少なくとも一方を押圧することにより凹み形成されている請求項１又は２又は３記載の顔面加温具。
【請求項６】
加温具本体３に、容易に曲げることができて塑性変形する保形部材１２が配設されている請求項１又は２又は３記載の顔面加温具。
【請求項７】
加温具本体３が左右横長であって、加温具本体３の左右間にわたって保形部材１２が配設されている請求項６記載の顔面加温具。
【請求項８】
保形部材１２が、形状記憶合金からなる請求項６又は７記載の顔面加温具。
【請求項９】
表裏カバー６ａ・６ｂが、炭素繊維を含む不織布からなる請求項１ないし８のいずれかに記載の顔面加温具。
【請求項１０】
表裏カバー６ａ・６ｂが、酸化チタンが配合された合成樹脂繊維を含む不織布からなる請求項１ないし８のいずれかに記載の顔面加温具。
【請求項１１】
表裏カバー６ａ・６ｂが、吸汗性を有する不織布からなる請求項１ないし８記載の顔面加温具。
【発明の詳細な説明】
【技術分野】
【０００１】
本発明は、人体の耳を含む顔面の皮膚患部を加温する顔面加温具に関する。
【背景技術】
【０００２】
本発明の顔面加温具は、表裏のカバーを含む加温具本体と、表裏のカバー間に挟み込み保持される発熱体と、表裏カバーの一方の外側面に設けられた粘着剤層と、粘着剤層を保護する剥離紙とからなる。
【０００３】
この種の顔面加温具の基本形態は特許文献１〜３に公知である。そこでは、真空パックされた包装袋から顔面加温具を取り出し、剥離紙を剥いだのち、例えば顔面の外鼻にこれを跨ぐ状態で加温具本体を粘着剤層で直貼りする。すると、内蔵の発熱体が空気に触れて酸化反応熱を出し、鼻腔や副鼻腔に対応した顔面の表皮および周辺部位の組織を加温する。これで花粉症の諸症状を緩和・除去する。
【０００４】
【特許文献１】特開平６−３４３６５７号公報（請求項１、図１、図１０、図１１）
【特許文献２】特開平７−１７１１７６号公報（請求項１、請求項１０）
【特許文献３】特開平７−３２８１３５号公報（請求項１、請求項１５）
【発明の開示】
【発明が解決しようとする課題】
【０００５】
問題は、加温部位が敏感な顔面を対象にしているので、第１に従来の顔面加温具は、全体が分厚すぎて使用者に装着時の違和感があった。第２に、発熱体による発熱温度の過不足に問題があった。例えば、花粉症やＩ型アレルギー性疾患であるアトピー性皮膚炎の諸症状を緩和・除去し、かつ低温火傷を負うこともない好適な加熱温度条件の実証が不足していた。
【０００６】
そこで本発明は、これらの課題を一挙に解消するにある。すなわち本発明の目的は、加温具本体が分厚くならないように薄くし、この状態が良く維持されるようにした顔面加温具を提供するにある。また本発明の目的は、顔面患部の血行障害を改善して外傷跡、手術後の傷跡、しみ、そばかす、花粉症などの諸症状を緩和・除去し、かつ低温火傷を負うこともない好適な温度を維持するよう、発熱体による発熱温度を制御した顔面加温具を得るにある。
【課題を解決するための手段】
【０００７】
本発明者らは、顔面の外鼻に当てるタイプの顔面加温具において、花粉症の諸症状を緩和・除去し、かつ低温火傷を負うこともない好適な加熱温度を検討したところ、それは３８℃±２℃であることを知見した。これは約人肌温度に相当する。次に、この温度への加温は、アトピー性皮膚炎、外傷跡や手術後の傷跡、加えて霜焼け、しみ、そばかすなどの部位（ここでは患部という。）を治癒するのにも等しく有効であり、低温火傷も負わないことを知り、本発明を提案するに至った。
【０００８】
すなわち本発明は、図１ないし図４に示すごとく表裏のカバー６ａ・６ｂを含む加温具本体３と、表裏のカバー６ａ・６ｂ間に挟み込み保持される発熱体２と、裏カバー６ｂの外側面に設けられた粘着剤層４と、粘着剤層４を保護する剥離紙５とを含む顔面加温具である。
【０００９】
請求項１記載の本発明は、かかる顔面加温具において、図１に示すごとく発熱体２が、シート基材９に発熱剤１０を担持させることによってシート状に形成されており、発熱体２が、シート基材９の材質ないしシート基材９に対する発熱剤１０の付着量などを選ぶことによって、３8.０℃±２℃の温度領域で少なくとも１時間以上にわたって発熱できるようにしてあることを特徴とする。シート基材９に発熱剤１０を担持させる手段としては、シート基材９の表面にバインダなどを用いて発熱剤１０を付着させたり、シート基材９の中に発熱剤１０を入れ込んだりするなどの方式を適宜採ることができる。シート基材９の材質は不織布であってもよく、特に材質を問わない。
【００１０】
請求項２記載の本発明は、上記の基本形態からなる顔面加温具において、図５に示すごとく発熱体２が発熱剤１０につなぎ用骨材１１を配合してシート状に圧縮成形されており、発熱体２が、発熱剤１０とつなぎ用骨材１１との配合割合などを選ぶことによって、３8.０℃±２℃の温度領域で少なくとも１時間以上にわたって発熱できるようにしたことを特徴とする。
【００１１】
前記発熱体２は、発熱剤１０の発熱開始から２４０秒以内に、３8.０℃±２℃の温度領域に到達するように制御することが望まれる（請求項３）。この制御は、発熱剤１０の発熱主剤（鉄粉）に対する反応助剤（食塩や活性炭など）の配合割合などを調整することによって達成できる。
【００１２】
請求項４記載の本発明は、請求項１または請求項２または請求項３記載の顔面加温具において、図６および図７に示すごとく、加温具本体３の表裏カバー６ａ・６ｂが、熱溶着性繊維を含む不織布からなり、表裏カバー６ａ・６ｂの外周縁部Ｐ１が熱溶着されているとともに、加温具本体３に、曲げ性を付与するための易曲部Ｐ２が、表裏カバー６ａ・６ｂを熱溶着することによって形成されていることを特徴とする。具体的には、加温具本体３を左右横長に形成し、加温具本体３の左右方向中央部位に易曲部Ｐ２を前後間にわたって線状ないし帯状に形成することができ、この場合の発熱体２は加温具本体３の易曲部Ｐ２の左右に分離した状態で表裏のカバー６ａ・６ｂ間に挟み込み保持することができる。尤も、前記易曲部Ｐ２は、図８に示すごとく発熱体２を挟んだ状態で表裏カバー６ａ・６ｂを熱溶着することにより形成してもよい。なお、加温具本体３の形状は左右横長が好適であるが、円形、楕円形、長方形、三角形、台形、正方形あるいは、それらの変形であってもよく、形状は問わない。
【００１３】
請求項５記載の本発明は、請求項１または請求項２または請求項３記載の顔面加温具において、図９に示すごとく、加温具本体３に、曲げ性を付与するための易曲部Ｐ２が、表裏カバー６ａ・６ｂの少なくとも一方を押圧することにより凹み形成されていることを特徴とする。この場合も、具体的には加温具本体３を左右横長に形成し、加温具本体３の左右方向中央部位に易曲部Ｐ２を前後方向にわたって線状ないし帯状に形成することができ、易曲部Ｐ２は表裏カバー６ａ・６ｂを熱溶着して形成したものであることを要しない。なお、加温具本体３の形状は左右横長が好適であるが、円形、楕円形、長方形、三角形、台形、正方形あるいは、それらの変形であってもよく、形状は問わない。
【００１４】
本発明の顔面加温具１は、包装袋に真空パックされた状態で流通の場に供される。使用に際しては、真空パックから取り出し、剥離紙５を剥ぎ取る。かくして、加温具本体３の裏カバー６ｂ側を顔面の加温すべき部位（例えば、図１２の鼻や図１３の耳など）に粘着剤層４で直貼りする場合と、加温具本体３の裏カバー６ｂ側を粘着剤層４を介して衛生マスク１３の内面に貼付した状態で該マスク１３を図１４に示すごとく顔面に装着することにより、加温具本体３の表カバー６ａ側を外鼻に当て付ける場合とがある。
【００１５】
本発明に係る顔面加温具１の代表的な使用例としては、外鼻にこれを左右に跨ぐ状態で直貼りする形態が挙げられる。これによれば、発熱体２の発熱により、着用者の鼻腔および副鼻腔に対応する顔面の表皮および周辺の組織を加温する。これにより該当部位および周辺組織において、血行の促進が図られ、各細胞の機能が活性化するので、花粉症に起因する諸症状を良好に緩和・除去できる。
【００１６】
とくに、発熱体２による加熱温度が３８℃±２℃に設定されていると、花粉症の諸症状の緩和・除去に有効である。加熱温度が３６℃未満だと、鼻腔および副鼻腔に対応する顔面の表皮および周辺の組織の加温が不十分となり、諸症状の緩和・除去効果が良好に得られない。一方、特に蛋白質の変質限界温度である４２℃を超えると、低温火傷を引き起こすおそれがあり、無難を期すうえで加熱温度は４０℃以下に抑える必要がある。
【００１７】
発熱体２による加熱時間は、長い方が有利である。そこで本発明では、発熱体２による加熱が少なくとも前記加熱温度領域で１時間以上にわたり保持されるようにしてある。１時間未満だと、顔面加温具の貼り替え回数が多くなって、実用上不便だからである。
【００１８】
身体は熱を出すことで、外部からの細菌の侵入を防いでいる。しかし、体温が低いと、先の細菌の侵入防止能力等が低下し、結果的にアトピー性皮膚炎などの疾患にかかり易くなる。また、身体が冷えると筋肉は熱を補うために緊張するが、現在人の低体温化（平熱温度が健常者体温より低下）に起因する慢性的に作られた身体の冷えにより、筋肉も慢性的に緊張状態にある。そのため、その上にある皮膚に対して血液・リンパ液の流れが悪くなり、皮膚に栄養が行き届かず、この点でも免疫能力が低下して、アトピー性皮膚炎などの皮膚疾患を引き起こす、とされている。そこで、本発明では、皮膚患部を３８℃±２℃に加温すれば、筋肉の慢性的な緊張状態を解いて血液やリンパ液の流れを良くして、免疫能力の向上を図り、以てアトピー性皮膚炎などの諸症状も良好に緩和・除去するにある。このメカニズムは、しみ、そばかす、外傷跡、手術後の傷跡などの患部の血行障害を改善するにも有効である。
【００１９】
使用開始から前述の加熱温度領域に至るまでの立ち上がり時間を２４０秒以内に設定してあると、速やかに上記効果が得られ、実用上において有利である。かかる立ち上がり時間の迅速化は、発熱体２において、発熱主剤に対する反応助剤の配合割合を調整することで達成できる。
【００２０】
請求項６記載の本発明は、請求項１または請求項２または請求項３記載の顔面加温具において、図１０および図１１に示すごとく加温具本体３に、容易に曲げることができて塑性変形する保形部材１２が配設されている。具体的には、加温具本体３が左右横長であるとき、加温具本体３の左右間にわたって保形部材１２を少なくとも１本、好ましくは複数本配設することができる（請求項７）。ここでの保形部材１２は、指先の力で簡単に曲げ変形でき、この曲げ状態で塑性変形して加温具本体３を前記曲げ状態に保形（維持）する部材を意味する。
【００２１】
かかる保形部材１２としては、銅製、真ちゅう製、鉄製などの金属線材（いわゆる針金）や金属製の帯板状材を挙げることができる。なかでも、保形部材１２は、形状記憶合金製にすることが好ましい（請求項８）。
【００２２】
加温具本体３の表カバー６ａおよび／または裏カバー６ｂは、各種の布帛や紙でもよいが、不織布が好ましい。加温具本体３の表カバー６ａおよび裏カバー６ｂを構成する不織布は、炭素繊維を含むものにすることができ（請求項９）、これによれば、炭素繊維が大気中のマイナス電荷を集めて、不快感のもとになる体内のプラス電荷を放電できる利点を持つ。また、その不織布には、酸化チタンが配合された合成樹脂繊維を含むものにでき（請求項１０）、これによれば、酸化チタンによる脱臭効果および抗菌効果を期待できる。更に、不織布は、汗を吸収する高吸収性の合成樹脂繊維を含むものにすることができ（請求項１１）、これによれば着用時の吸汗機能を付与できる。
【発明の効果】
【００２３】
請求項１記載の本発明によれば、発熱体２が、シート基材９に発熱剤１０を担持させることでシート状に形成されている。したがって、表裏のカバー６ａ・６ｂ間において、発熱剤１０が偏在することがなく薄膜のシート状によく維持できる。具体的には、加温具本体３の全体厚みを1.５〜3.０mmに設定でき、顔面に対しても異和感なく装着できる。
【００２４】
しかも、請求項１記載の本発明によれば、発熱体２が、３８℃±２℃の人肌温度領域で少なくとも１時間以上にわたり発熱する。これは、シート基材９に対する発熱剤１０の付着量を加減調節したり、発熱剤１０を構成する発熱主剤と反応助剤との配合量を調整することにより、容易に制御できる。その結果、本発明の顔面加温具は、顔面の着用部位によって、花粉症やアトピー性皮膚炎、それに霜焼け、しみ、そばかす、外傷跡、手術後の傷跡などの患部の血行障害を改善するのに有効となる。
【００２５】
請求項２記載の本発明によれば、発熱体２が発熱剤１０につなぎ用骨材１１を配合してシート状に圧縮成形されており、この点が請求項１と構成上において異なるのみであって、請求項１におけると同様の作用効果を奏する。
【００２６】
請求項３記載の本発明によれば、発熱体２が発熱剤１０の発熱開始から２４０秒以内に３8.０℃±２℃の温度領域に達するようにしてあるので、待ち時間が少なく使い勝手が良い。
【００２７】
請求項４および請求項５記載の本発明に係る加温具本体３は、易曲部Ｐ２を介して曲げ易くなっているので、外鼻にこれを跨ぐ状態で当てつけるのに便利である。また、加温具本体３を折り曲げて外耳に貼るのにも有利である。
【００２８】
請求項６記載の本発明によれば加温具本体３を外鼻や外耳などに当てつけるのに適した形状に折り曲げたとき、その曲げ状態を保形部材１２で保形するので、加温具本体３を対象部位に浮き離れることなく密着させて保温効果を高めることができる。
【００２９】
請求項７記載の本発明によれば、左右横長の加温具本体３を左右方向中央部で屈曲状に曲げ変形した状態を保形部材１２でよく維持でき、使い勝手が良い。
【００３０】
請求項８記載の本発明によれば、保形部材１２が形状記憶合金からなるので、例えば外鼻用または外耳用の顔面加温具において、加温具本体３の曲げ度合に過不足があっても、発熱体２が約３８℃に発熱することに伴い、保形部材１２が自動的に所定の曲げ形状になるので、加温具本体３の曲げ具合の過不足を補い、加温具本体３を顔面の加温部位に密着させるのに好適である。
【発明を実施するための最良の形態】
【００３１】
（第１実施形態）  図１ないし図４は本発明に係る顔面加温具の代表的な第１実施形態を示しており、花粉症の諸症状を緩和・除去するために、着用者の外鼻に直貼りすることを予測している。この顔面加温具１は、図１および図４に示すごとく、内部に発熱体２が納まる加温具本体３と、該加温具本体３の裏面側に設けられた粘着剤層４と、粘着剤層４を保護する剥離紙５とからなる。
【００３２】
加温具本体３は、熱可塑性の合成樹脂繊維からなる一対の表裏カバー６ａ・６ｂの外周縁部Ｐ１どうしを熱溶着して左右横長の略楕円形状に形成されており、その中空内部に発熱体２が表裏のカバー６ａ・６ｂ間に挟み込み保持されている。
【００３３】
加温具本体３の裏カバー６ｂの外側面には、その左右両端部に粘着剤層４が塗布形成されているとともに、この粘着剤層４を保護するための剥離紙５が剥離可能に貼付されている。図示例の剥離紙５は、これの左右中央に切り線７を入れてあり、この切り線７を介して左右に剥ぎ取れる。
【００３４】
発熱体２は、不織布製で薄厚のシート基材９に発熱剤１０を均一に分散させた状態で付着してある。発熱剤１０は、鉄粉で代表される発熱主剤と、発熱主剤を空気中の酸素と反応させて発熱させる活性炭、食塩水などの反応助剤とからなる公知のそれである。本発明の顔面加温具１は、保存中に発熱反応が起こらないように、ガスバリヤー性を有するプラスチック製の袋に密封包装して流通に供される。
【００３５】
本発明の顔面加温具１の使用に際しては、図４に示すごとく加温具本体３から剥離紙５を左右に引き剥がしたのち、図１２に示すごとく加温具本体３の裏カバー６ｂ側を顔面の外鼻にこれを跨ぐ状態で粘着剤層４を介して直貼りし、加温具本体３の左右端部分を鼻腔および副鼻腔上の表皮に接触させる。
【００３６】
これによれば、発熱体２の発熱により、着用者の鼻腔および副鼻腔に対応する顔面の表皮を中心とする周辺組織が加温される。その際に、発熱体２による加熱温度は、３８℃±２℃以内に設定されており、使用開始から該当の加熱温度領域に到達するまでの立ち上がり時間が２４０秒以内であり、かつ少なくとも１時間以上にわたって該加熱温度領域が保持されるように、シート基材９に対する発熱剤１０の付着量および発熱剤１０の組成成分が調製されている。
【００３７】
したがって、先の鼻腔および副鼻腔に対応する顔面の表皮を中心とする周辺組織を過不足なく加温し、低温火傷を引き起こすこともなく、花粉症に起因する諸症状を良好に緩和・除去できる。
【００３８】
更に、表裏カバー６ａ・６ｂを構成する不織布の一部が、炭素繊維を含んでおり、炭素繊維が大気中のマイナス電荷を集めて、不快感のもとになる体内のプラス電荷を放電する。表裏カバー６ａ・６ｂの不織布は、酸化チタンを含有する合成樹脂繊維を含んでおり、酸化チタンによる脱臭効果および抗菌効果も期待できる。とくに裏カバー６ｂの不織布が高吸収性の合成樹脂繊維を含んでおり、これにて吸汗機能を発揮する。
【００３９】
（第２実施形態）  図５は、本発明に係る顔面加温具１の第２実施形態を示しており、前記発熱体２が、発熱剤１０につなぎ用骨材１１を配合してシート状に圧縮形成されている。つなぎ用骨材１１としては、パルプや各種の合成樹脂の長繊維を用いた。その余の点は第１実施形態と実質的に同じであり、同一部材には同一符号を付して説明を省略する。
【００４０】
（第３実施形態）  図６および図７は、本発明に係る顔面加温具１の第３実施形態を示しており、先の表裏カバー６ａ・６ｂの外周縁部Ｐ１を熱溶着するのと同時に、左右横長とした加温具本体３の左右方向中央部位に、曲げ性を付与するための易曲部Ｐ２が、表裏カバー６ａ・６ｂを前後間にわたって熱溶着することによって帯状に形成されている。この場合の発熱体２は、表裏カバー６ａ・６ｂ間において左右に分けて挟み込み保持されている。その余の構成は第１実施形態と実質的に同じであるから、同一部材には同一符号を付して説明を省略する。なお、図示例の易曲部Ｐ２は、所定の左右幅を有する帯状に形成したが、前後方向に走る断面Ｖ字形ないしＵ字形の線状に形成されていてもよい。
【００４１】
（第４実施形態）  図８は本発明に係る顔面加温具１の第４実施形態を示しており、これでは第３実施形態の易曲部Ｐ２において表裏カバー６ａ・６ｂおよび発熱体２の不織布製シート基材９とが一体に熱溶着されている。すなわち、発熱体２のシート基材９も熱溶着性を有する不織布を用いている。
【００４２】
（第５実施形態）  図９は本発明に係る顔面加温具１の第４実施形態を示しており、この場合は、表カバー６ａの左右方向中央部位を押圧して凹ませることにより易曲部Ｐ２を形成しており、表カバー６ａと裏カバー６ｂとが熱溶着されていない。その他の構成は第３実施形態と実質的に同じである。
【００４３】
第３〜第５実施形態に係る顔面加温具１によれば、加温具本体３の左右方向中央部位が易曲部Ｐ２を介して表裏の少なくとも一側方に曲げ易くなっているので、加温具本体３が外鼻にこれを跨ぐ状態で貼り付け易く、貼った状態をよく維持できる。また、例えば図１３に示すごとく霜焼けの治癒のために、加温具本体３を折り曲げて外耳の一部に直貼りするのにも便利である。
【００４４】
（第６実施形態）  図１０および図１１は本発明に係る顔面加温具１の第６実施形態を示しており、左右横長の加温具本体３の裏カバー６ｂと、剥離紙５との間に、銅製、真ちゅう製または鉄製の金属線材からなる前後２本の保形部材１２が加温具本体３の左右間にわたって配設されている。各保形部材１２は、これの左右端部分が裏カバー６ｂと粘着剤層４との間に挟持されていて、粘着剤層４で裏カバー６ｂに不離一体に付設されている。その余の構成は、発熱体３の構造を含めて先の第１実施形態および第２実施形態と実質的に同一であるから、同一部材には同一符号を付して説明を省略する。
【００４５】
この第６実施形態によれば、保形部材１２が折り曲げ容易であってその曲げ状態を維持するよう塑性変形する金属線材を選ぶことにより、加温具本体３を外鼻や外耳の形状に添うよう予め曲げる。その場合、加温具本体３が弾性復元しようとすにのを保形部材１２が阻止するので、加温具本体３の顔面の対象部位に加温具本体３を曲げた密着状態に浮き離れることなく維持できる。
【００４６】
（第７実施形態）  先の保形部材１２は形状記憶合金製にすることができる。これによれば、使用前の加温具本体３は、嵩張らないようにストレート状を呈しているが、使用時には発熱体２が発熱すると所定の形状になる。例えば、顔面加温具が外鼻用であれば、外鼻にこれを跨ぐ曲げ状態で加温具本体３を当てたとき、その曲げ状態に過不足があってもこれをよく補正してくれることになる。顔面加温具が外耳用であれば装着使用時にそれに見合った形状になる。したがって、顔面の対象部位に加温具本体３を浮き外れたり、強く押し過ぎたりすることなく確実に密着状に装着できる。
【００４７】
なお、第５、第６実施形態の保形部材１２は、平板状および帯板状など、その形状は特に問わない。また、保形部材１２は、裏カバー６ｂの内面側、又は表カバー６ａの内外のいずれかに配設されていてもよい。
【００４８】
（別使用形態）  また、本発明の顔面加温具１は、図１４に示すごとく衛生マスク１３の内面に加温具本体３の裏カバー６ｂ側を前記粘着剤層４を介して貼り、顔面に衛生マスク１３を装着したとき、顔面加温具１の表カバー６ａ側が外鼻に当たるように使用してもよい。この場合は表カバー６ａが先の吸汗機能を有すると有利になる。
【実施例】
【００４９】
（実施例１）  次に本発明のより具体的な実施例１を説明する。まず、発熱主剤である鉄粉と、反応助剤である活性炭と食塩と水とを、以下の配合割合で混合して、粉状の発熱材１０を得た。
鉄粉（３００メッシュ）                  １０ｇ                ４2.７％
活性炭                                    ５ｇ                ２1.３％
食塩水（５重量％）                        ８ml（ＮａＣｌ）      1.８％
（Ｈ2 Ｏ）      ３4.２％
【００５０】
次に、不織布製シート基材９の表裏面に粉状の前記発熱材１０を付着させて、シート状の発熱体２をつくり、それぞれ不織布からなる表裏カバー６ａ・６ｂ間に発熱材１０を挟み込んだのち、両表裏カバー６ａ・６ｂの外周縁部Ｐ１どうしを熱溶着することにより、加温具本体３をつくった。シート基材９および表裏カバー６ａ・６ｂの厚みは、それぞれ約1.０mmとし、加温具本体３の総厚を約3.０mmに設定した。単位面積あたりの発熱体２の量は、0.５５ｇ／cm3 とした。
【００５１】
この実施例１の顔面加温具では、表面温度（皮膚に対する接触温度）を測定したところ、約２４０秒経過した時点で３８℃±２℃の下限値である３６℃程度にまで上昇し、健常者の体温領域を７時間程度保持する。
【００５２】
そのうえで、実施例１の顔面加温具の有用性（花粉症の諸症状に対する緩和・除去効果）を確かめるため、以下のような試験を行った。
【００５３】
１５名の花粉症患者に、本実施例１に係る顔面加温具を１０日間使用してもらった。同様に、先の表面温度が３５℃を上限とする比較例１の顔面加温具をつくり、これを先と同じ１５名の花粉症患者に同期間使用してもらった。これら実施例１および比較例１に係る顔面加温具のモニター結果（鼻水・鼻づまり、およびくしゃみに対する効果）を表１および表２に示す。なお、表２の比較例において、１５名の花粉症患者中、１名からは結果が得られなかった。
【００５４】
【表１】
2005058512.tif 000003
【００５５】
【表２】
2005058512.tif 000004
【００５６】
表１および表２より、加熱温度領域を３８℃程度に規定した実施例１に係る顔面加温具が、加熱温度領域を３５℃程度に規定した比較例１に比べて、鼻水・鼻づまり、およびくしゃみなどの花粉症の諸症状の緩和に著しい効果を発揮することがわかった。
【図面の簡単な説明】
【００５７】
【図１】第１実施形態における図２のＡ−Ａ線断面図
【図２】第１実施形態を示す正面図
【図３】第１実施形態を示す背面図
【図４】第１実施形態の使用状態を示す背面図
【図５】第２実施形態を示す縦断側面図
【図６】第３実施形態を示す正面図
【図７】第３実施形態における図６のＢ−Ｂ線断面図
【図８】第４実施形態を示す要部の縦断正面図
【図９】第５実施形態を示す要部の縦断正面図
【図１０】第６実施形態を示す正面図
【図１１】図１０のＣ−Ｃ線に沿う断面図
【図１２】使用例１を示す正面図
【図１３】使用例２を示す正面図
【図１４】使用例３を示す正面図
【符号の説明】
【００５８】
１  顔面加温具
２  発熱体
３  加温具本体
４  粘着剤層
５  剥離紙
６ａ  表カバー
６ｂ  裏カバー
９  シート基材
１０  発熱剤
【図１】
2005058512.tif 000005
【図２】
2005058512.tif 000006
【図３】
2005058512.tif 000007
【図４】
2005058512.tif 000008
【図５】
2005058512.tif 000009
【図６】
2005058512.tif 000010
【図７】
2005058512.tif 000011
【図８】
2005058512.tif 000012
【図９】
2005058512.tif 000013
【図１０】
2005058512.tif 000014
【図１１】
2005058512.tif 000015
【図１２】
2005058512.tif 000016
【図１３】
2005058512.tif 000017
【図１４】
2005058512.tif 000018